(57)【要約】【課題】入力カラー画像信号から出力カラー画像信号へ色変換する場合の色補正において、人間の視覚特性に適合した色再現性評価を行うことを目的とする。【解決手段】色属性情報ごとに、ＨＶＣ色空間における色相（２３０１Ｈ）とおよび許容域色相（２３０２Ｈ、２３０３Ｈ）とを設定する手段と、評価対象色２３０４Ｌの色属性を判別する手段と、評価対象色２３０４ＬのＬａｂ色空間座標（Ｌ１，Ａ１，Ｂ１）に基づいて、ＨＶＣ色空間における彩度情報および明度情報を算出する手段と、彩度情報と、明度情報と、ＨＶＣ色空間における色相２３０１Ｈとに基づいて、目標色座標２３０５Ｌを算出する手段と、彩度情報と、明度情報と、許容域色相（２３０２Ｈ、２３０３Ｈ）とに基づいて、許容域色座標（２３０６Ｌ、２３０７Ｌ）を算出する手段とを備える。【選択図】　図２３
2004072172.tif 000002
【特許請求の範囲】
【請求項１】
画像信号を入力する入力デバイスと通信可能に接続される画像処理装置であって、
色の属性を示す色属性情報ごとに、視覚特性に対応した色信号情報をもつ色空間における色相と、該色相と同じ色味をもつ範囲を表す許容域色相とを設定する設定手段と、
前記入力される所定の画像信号の、前記入力デバイスにおける均等表色系の色空間座標に基づいて、色属性を判別する判別手段と、
前記入力される所定の画像信号の、前記入力デバイスにおける均等表色系の色空間座標に基づいて、該画像信号の視覚特性に対応した色信号情報をもつ色空間における彩度情報および明度情報を算出する明度・彩度算出手段と、
前記彩度情報と、前記明度情報と、前記判別された色属性に応じた前記視覚特性に対応した色信号情報をもつ色空間における色相とに基づいて、該色相の均等表色系の色空間における色座標である目標色座標を算出する目標色座標算出手段と、
前記彩度情報と、前記明度情報と、前記判別された色属性に応じた前記許容域色相とに基づいて、該許容域色相の均等表色系の色空間における色座標である許容域色座標を算出する許容域色座標算出手段と
を備えることを特徴とする画像処理装置。
【請求項２】
前記入力される所定の画像信号の、前記入力デバイスにおける均等表色系の色空間座標における色相角と前記目標色座標における色相角との差分と、前記目標色座標における色相角と前記許容域色座標における色相角との差分との比に基づいて、評価値を算出する評価値算出手段と、
前記目標色座標および前記許容域色座標を表示する表示手段と、を更に備え、前記表示手段は、該評価値を表示可能であることを特徴とする請求項１に記載の画像処理装置。
【請求項３】
前記入力される所定の画像信号の、前記入力デバイスにおける均等表色系の色空間座標が、前記目標色座標と前記許容域色座標との間にあるか否かを判定する許容域内外判別手段と、
前記目標色座標および前記許容域色座標を表示する表示手段と、を更に備え、前記表示手段は、該判定結果を表示可能であることを特徴とする請求項１に記載の画像処理装置。
【請求項４】
画像信号を出力する出力デバイスと通信可能であり、前記目標色座標および前記許容域色座標は、該出力デバイスにおいて色再現可能な範囲内で算出されることを特徴とする請求項１に記載の画像処理装置。
【請求項５】
前記視覚特性に対応した色信号情報をもつ色空間は、ＨＶＣ色空間であることを特徴とする請求項１に記載の画像処理装置。
【請求項６】
画像信号を入力する入力デバイスと通信可能に接続される画像処理装置における画像処理方法であって、
色の属性を示す色属性情報ごとに、視覚特性に対応した色信号情報をもつ色空間における色相と、該色相と同じ色味をもつ範囲を表す許容域色相とを設定する設定工程と、
前記入力される所定の画像信号の、前記入力デバイスにおける均等表色系の色空間座標に基づいて、色属性を判別する判別工程と、
前記入力される所定の画像信号の、前記入力デバイスにおける均等表色系の色空間座標に基づいて、該画像信号の視覚特性に対応した色信号情報をもつ色空間における彩度情報および明度情報を算出する明度・彩度算出工程と、
前記彩度情報と、前記明度情報と、前記判別された色属性に応じた前記視覚特性に対応した色信号情報をもつ色空間における色相とに基づいて、該色相の均等表色系の色空間における色座標である目標色座標を算出する目標色座標算出工程と、
前記彩度情報と、前記明度情報と、前記判別された色属性に応じた前記許容域色相とに基づいて、該許容域色相の均等表色系の色空間における色座標である許容域色座標を算出する許容域色座標算出工程と
を備えることを特徴とする画像処理方法。
【請求項７】
前記入力される所定の画像信号の、前記入力デバイスにおける均等表色系の色空間座標における色相角と前記目標色座標における色相角との差分と、前記目標色座標における色相角と前記許容域色座標における色相角との差分との比に基づいて、評価値を算出する評価値算出工程と、
前記目標色座標および前記許容域色座標を表示する表示工程と、を更に備え、前記表示工程により、該評価値を表示可能であることを特徴とする請求項６に記載の画像処理方法。
【請求項８】
前記入力される所定の画像信号の、前記入力デバイスにおける均等表色系の色空間座標が、前記目標色座標と前記許容域色座標との間にあるか否かを判定する許容域内外判別工程と、
前記目標色座標および前記許容域色座標を表示する表示工程と、を更に備え、前記表示工程により、該判定結果を表示可能であることを特徴とする請求項６に記載の画像処理方法。
【請求項９】
画像信号を出力する出力デバイスと通信可能であり、前記目標色座標および前記許容域色座標は、該出力デバイスにおいて色再現可能な範囲内で算出されることを特徴とする請求項６に記載の画像処理方法。
【請求項１０】
前記視覚特性に対応した色信号情報をもつ色空間は、ＨＶＣ色空間であることを特徴とする請求項６に記載の画像処理方法。
【請求項１１】
請求項６乃至１０のいずれか１つに記載の画像処理方法をコンピュータによって実現させるための制御プログラムを格納した記憶媒体。
【請求項１２】
請求項６乃至１０のいずれか１つに記載の画像処理方法をコンピュータによって実現させるための制御プログラム。
【発明の詳細な説明】
【０００１】
【発明の属する技術分野】
本発明は入力手段によって入力されたカラー画像信号に対して色補正処理を行い、出力手段に適した色を生成する技術に関する。
【０００２】
【従来の技術】
入力画像信号に対して色補正を行い、出力機器における出力色を生成するにあたり、従来は、例えば、特開平８−２５６２７５号公報に開示されているように、入力画像信号が示す入力色に対して、均等表色系であるＬａｂ色空間やＬＣＨ色空間における目標色を算出し、算出した目標色の座標値（目標色座標値）との距離（ΔＥ）を目標色との色味の差異を示す評価値として用いて、色補正値を決定していた。
【０００３】
また、目標色と同じような色味に見える範囲をＬａｂ色空間やＬＣＨ色空間ににおける色相角により定義し、当該色空間における色相角により定義された範囲に基づいて、色再現性評価を行っていた。
【０００４】
【発明が解決しようとする課題】
しかしながら、上記のＬａｂ色空間やＬＣＨ色空間は、人間の視覚特性と必ずしも一致しておらず、また、ΔＥの大きさや色相角の変化による色味の変化度合いについても、人間の感覚量とは対応付けがなされていない。
【０００５】
実際、上記のＬａｂ色空間やＬＣＨ色空間においては、明度が異なれば同じ色に見える色が同じ色相角上にはなく、また、彩度が異なれば同じ色に見える色が同じ色相角上にはない。
【０００６】
図１０を用いて詳細に説明する。図１０は、均等表色系であるＬａｂ色空間において、ある明度における、彩度の小さい色から大きい色について、人間の視覚において同じ色相に見えるａ＊ｂ＊座標点の連続変化を線分で示した一例である。以後、かかる線分を等色相線と呼ぶ。
【０００７】
図１０において、黒丸で示す点１００４は赤色を示し、白丸で示す点１００５および１００６は赤色１００４とは色相角が異なる色であることを示す。また、１００１乃至１００３は等色相線であり、彩度の小さい色から大きい色について、人間の視覚において赤色１００４乃至１００６とそれぞれ同じ色相に見えることを表している。
【０００８】
さらに、Ｌａｂ色空間上における赤色１００４、１００５、１００６に対する等色相角線をそれぞれ点線１００８、１００９、１０１０で示す。また、赤色１００５における等色相角線１００８と赤色１００４における等色相角線１００９にはさまれる領域を、等色相角において定義される許容域Ａ’’とし、　赤色１００６における等色相角線１０１０と赤色１００４における等色相角線１００９にはさまれる領域を、等色相角線によって定義される許容域Ｂ’’とする。
【０００９】
ここで、赤色１００５、１００６は、色相方向において赤色１００４と同じような色味に見える色の許容限界色である。よって、等色相線１００２、１００３を赤色１００４における等色相線１００１に対する許容限界色相線と定義することが出来る。以後、許容限界色相線を許容域等色相線と呼ぶ。
【００１０】
従って、等色相線１００１上の赤色１００４を、人間が最も赤い色味であると認める色であるとすると、赤の目標とすべき目標色相線は等色相線１００１であり、赤の目標に対して、等色相線１００２、１００３はその許容域等色相線であることから、色相に関して、等色相線１００２、１００３に挟まれる領域に存在する色、例えば黒四角１００７における座標で示される色は、人間が、赤色であると認めることが出来る色であるといえる。
【００１１】
さて、等色相線１００１と許容域等色相線１００２に挟まれる領域を許容域Ａ、等色相線１００１と許容域等色相線１００３に挟まれる領域を許容域Ｂとした場合、ある目標色と同じ明度で同じ彩度を持つ色座標点１００７は、許容域Ａもしくは許容域Ｂ内にあれば、目標色１００４と同じ色味をもつ色であるといえる。
【００１２】
ここで、等色相線１００１に対して許容域等色相線１００２に挟まれる許容域Ａおよび、等色相線１００１に対して許容域等色相線１００３に挟まれる許容域Ｂについて、赤色１００５よりも彩度の大きい赤色の場合の許容域Ａ’および許容域Ｂ’と比較してみると、許容域Ａ、許容域Ｂに比べて許容域Ａ’、許容域Ｂ’とも均等表色系であるＬａｂ色空間において、より大きい色相角範囲について許容域となることが分かる。
【００１３】
すなわち、人間の視覚特性によれば、彩度が大きい色はＬａｂ色空間における色相角の変化に対して許容域が大きくなるということが分かる。ちなみに、従来のＬａｂ色空間における等色相角線によって定義される許容域Ａ’’，Ｂ’’についても彩度が大きくなるにつれてその許容域は大きくはなる。
【００１４】
しかしながら、許容域等色相線１００２のＬａｂ色空間におけるａ＊ｂ＊座標の変遷を見ると、彩度が大きくなるにつれて、許容域等色相線１００２は黄色方向に大きく曲がるため、Ｌａｂ色空間における等色相角線１００８に対してさらに大きい領域が許容されることが分かる。
【００１５】
以上のことから明らかなように、Ｌａｂ色空間における色相角によって一意に定義された許容域は、評価する色の彩度が異なると、人間の視覚特性に基づく許容域とは、大きく異なってしまう（明度についても同様のことが言えるが、ここでは詳細な説明は省く）。
【００１６】
つまり、色補正値を評価するにあたり、目標色座標値に対するＬａｂ色空間におけるΔＥを評価値とする従来の評価方法では、ΔＥの大小と実際の色の見え具合において違いがあるため、当該色補正値に対する色再現性評価の精度には問題があった。
【００１７】
同様に、Ｌａｂ色空間における等色相角線を用いて許容範囲を定義し、色補正値が該許容範囲内か否かにより当該色補正値に対する色再現性評価を行っても、等色相角線と実際の色の見え具合において違いがあるため、正しい色再現性評価がなされないという問題があった。
【００１８】
本発明は上述した問題を解決するためになされたものであり、入力カラー画像信号から出力カラー画像信号へ色変換する場合の色補正において、人間の視覚特性に適合した色再現性評価が可能な画像処理装置およびその方法ならびにその記録媒体を提供することを目的とする。
【００１９】
【課題を解決するための手段】
上記の目的を達成するために本発明に係る画像処理装置は以下のような構成を備える。即ち、
画像信号を入力する入力デバイスと通信可能に接続される画像処理装置であって、
色の属性を示す色属性情報ごとに、視覚特性に対応した色信号情報をもつ色空間における色相と、該色相と同じ色味をもつ範囲を表す許容域色相とを設定する設定手段と、
前記入力される所定の画像信号の、前記入力デバイスにおける均等表色系の色空間座標に基づいて、色属性を判別する判別手段と、
前記入力される所定の画像信号の、前記入力デバイスにおける均等表色系の色空間座標に基づいて、該画像信号の視覚特性に対応した色信号情報をもつ色空間における彩度情報および明度情報を算出する明度・彩度算出手段と、
前記彩度情報と、前記明度情報と、前記判別された色属性に応じた前記視覚特性に対応した色信号情報をもつ色空間における色相とに基づいて、該色相の均等表色系の色空間における色座標である目標色座標を算出する目標色座標算出手段と、
前記彩度情報と、前記明度情報と、前記判別された色属性に応じた前記許容域色相とに基づいて、該許容域色相の均等表色系の色空間における色座標である許容域色座標を算出する許容域色座標算出手段とを備える。
【００２０】
【発明の実施の形態】
はじめに、本発明の概要について説明する。本発明にかかる画像処理装置によれば、人間の視覚特性に適した目標色座標ならびに人間の視覚特性を考慮した許容域を表示することができる。
【００２１】
これを実現するためには、人間の視覚特性に適した目標色座標および許容域色座標を算出しておく必要があるが、本発明にかかる画像処理装置では、人間の視覚特性に対応した色信号情報をもつ色空間の１つであるＨＶＣ色空間を用いて、それらを算出する。
【００２２】
つまり、色属性情報ごとに、ＨＶＣ色空間上において、あらかじめ目標色相および許容域色相を登録しておき、当該色属性情報を有する評価対象色が入力された場合に、当該登録より、目標色相および許容域色相を導き出し、さらに、導き出した目標色相および許容域色相をＬａｂ色空間に変換することで、目標色座標および許容域色座標を算出する。
【００２３】
図２３を用いて、具体的に説明する。２３０４Ｌは評価対象色のＬａｂ色空間２３００Ｌ上の色座標であり、当該評価対象色に対する目標色座標および許容域色座標を求めることとする。
【００２４】
まず、評価対象色の色座標より、色属性が判断される。判断された色属性が、例えばＲｅｄであった場合、色属性情報＝Ｒｅｄとして予め登録されているＨＶＣ色空間２３００Ｈにおける目標色相２３０１Ｈおよび許容域色相２３０２が呼び出される。上述のように、ＨＶＣ色空間上の目標色相および許容域色相は、人間の視覚特性に適合したものであるから、目標色相２３０１Ｈは、人間が最も赤い色味であると認める色であり、許容域色相２３０２Ｈおよび２３０３Ｈに挟まれた領域は、人間が赤色であると認めることができる領域である。
【００２５】
つまり、目標色座標および許容域色座標は、目標色相２３０１Ｈおよび許容域色相２３０２Ｈ上の点（２３０５Ｈ、２３０６Ｈ、２３０７Ｈ）に基づいて算出することができる。
【００２６】
ここで、目標色相２３０１Ｈおよび許容域色相２３０２Ｈ上の点（２３０５Ｈ、２３０６Ｈ、２３０７Ｈ）は、評価対象色２３０４Ｌの明度および彩度に基づいて定めることができる。すなわち、評価対象色２３０４Ｌの色座標より、当該評価対象色のＨＶＣ色空間上での明度、彩度を算出することができ（図中の▲１▼参照）、それと同じ明度、彩度を有する目標色相２３０１Ｈおよび許容域色相２３０２Ｈ、２３０３Ｈ上の点として、それぞれ点２３０５Ｈ、２３０６Ｈ、２３０７Ｈが求められる（図中の▲２▼、▲３▼、▲４▼参照）。そして、これらの点（２３０５Ｈ、２３０６Ｈ、２３０７Ｈ）をＬａｂ色空間に変換することで、目標色座標（２３０５Ｌ）および許容域色座標（２３０６Ｌ、２３０７Ｌ）が算出される。
【００２７】
なお、以上の説明から明らかなように、Ｌａｂ色空間における等色相線２３０１Ｌ、２３０２Ｌ、２３０３Ｌは、ＨＶＣ色空間における目標色相２３０１Ｈおよび許容域色相２３０２Ｈ、２３０３ＨをＬａｂ色空間に変換することで得られる（図中の▲５▼、▲６▼、▲７▼参照）。
【００２８】
本発明に関する以上の概略をふまえ、以下に第１及び第２の実施形態を示す。
【００２９】
【第１の実施形態】
１．全体構成
（１）全体システム構成
本発明の第１の実施形態にかかる画像処理装置の概要、構成について、図１に示されるブロック図を参照しながら説明する。
【００３０】
１０１はＣＰＵであり、ＲＯＭ１０２に記憶されている情報データや制御プログラム、ＯＳ（オペレーティングシステム）、アプリケーションプログラム（以下、アプリケーションという）、デバイスドライバ等に従って、ＲＡＭ１０３、操作部１０４、画像処理部１０５、モニタ１０６、入力デバイスＩ／Ｆ１０７、出力デバイスＩ／Ｆ１０８の各種制御を行う。
【００３１】
１０７はＣＣＤセンサを含むイメージスキャナ等の画像読取装置や測色器等の入力デバイスと接続可能な入力デバイスＩ／Ｆであり、該入力デバイスＩ／Ｆを介して評価対象の色空間情報を画像処理装置に入力する。１０８はインクジェットプリンタ、熱転写プリンタ、ドットプリンタ等の出力デバイスと接続可能な出力デバイスＩ／Ｆであり、色補正された画像が出力デバイスＩ／Ｆを介して出力される。
【００３２】
ＲＡＭ１０３は各種制御プログラムや操作部１０４から入力されるデータを保持するための作業領域及び一時待避領域である。１０４は操作部であり、出力デバイスの設定データの入力を行う。１０５は画像処理部であり、色再現性評価処理、色補正処理等の各種画像処理を行う。
【００３３】
１０６はモニタであり、画像処理部１０５の画像処理結果や操作部１０４より入力された色補正値等を表示する。
【００３４】
（２）画像処理部の構成
次に、図２を用いて画像処理部１０５について説明する。画像処理部１０５は、色再現性評価機能を有し、以下の構成を備える。
【００３５】
２０１は、評価対象色データ記憶装置であり、端子２０６を通じて入力された、評価対象となる色を測色した均等表色系のＬａｂ色空間座標値を格納する。評価対象色データ記憶装置２０１へは、入力デバイスＩ／Ｆ１０７を介して測色器から均等表色系のＬａｂ色空間座標値が入力されても良いし、操作部１０４を介して色座標値が直接入力されても良い。また、評価対象色データ記憶装置２０１には、評価対象色の色の属性を示す色属性情報（例えば、Ｒｅｄ、Ｇｒｅｅｎ、・・等）が、評価対象色のＬａｂ色空間座標値に関連付けられて格納される。
【００３６】
２０２は、評価対象色について色再現性評価を行う色再現性評価装置である。色再現性評価装置２０２において、評価対象色における目標色および許容域のＬａｂ色空間座標値が算出され、目標・許容域座標データメモリ２０４に格納される。再現性評価装置２０２において評価された結果及び評価値は、評価結果格納装置２０３において、評価対象色のＬａｂ色空間座標値に対応付けられて格納される。目標・許容域座標データメモリ２０４に格納された目標色および許容域のＬａｂ色空間座標値、および評価結果格納装置２０３に格納された評価値は、表示装置画面生成装置２０５において生成された表示画面に組み込まれ、端子２０７を介して送信され、モニタ１０６上に表示される。
２．色再現性評価部の説明
（１）色再現性評価部の詳細構成
次に本実施形態における色再現性評価方法、並びに、色再現性評価部内の色再現性評価装置２０２の機能について詳細に説明する。
【００３７】
図３は、色再現性評価装置２０２における構成を示すブロック図である。
【００３８】
３０１は、評価対象色データ記憶装置２０１より読み出した、評価対象となる色の色属性情報およびＬａｂ色空間座標値を格納する評価対象色データ格納部である（図１３に、評価対象色データ格納部の一例を示す）。
【００３９】
図１３に示すように、評価対象色データ格納部３０１は、複数の評価対象色を格納するためのインデックス、および、該インデックスに対し、評価対象色の色属性情報を格納する領域、ならびにＬａｂ色空間座標値を格納する領域によって構成されている。
【００４０】
例えば、評価対象色データ格納領域１３０１は、評価対象色１としてのインデックス１、色属性情報として評価対象色を赤色として評価するためのＲｅｄ識別子、および評価対象色のＬａｂ色空間座標値が格納されている。
【００４１】
また、評価対象色データ格納領域１３０２には、評価対象色２としてのインデックス２、色属性情報として評価対象色を緑として評価するためのＧｒｅｅｎ識別子、および評価対象色のＬａｂ色空間座標値が、さらに評価対象色データ格納領域１３０３には、評価対象色３としてのインデックス３、色属性情報として評価対象色をシアンとして評価するためのＣｙａｎ識別子、および評価対象色のＬａｂ色空間座標値がそれぞれ格納されている。
【００４２】
図３に戻る。ＨＶＣ色空間参照データメモリ３０２にはＨＶＣ−Ｌａｂ変換情報が格納されており、適宜他の処理部におけるＨＶＣ−Ｌａｂ座標値の変換に用いられる。
【００４３】
目標色相データメモリ３０３には、ＨＶＣ色空間の色相情報のデータ形式で、評価対象色の色属性情報に対する目標色相が格納されている。
【００４４】
許容色相データメモリ３０４には、ＨＶＣ色空間の色相情報のデータ形式で、評価対象色の色属性情報に対する、両許容域色相（許容域色相Ａおよび許容域色相Ｂ（詳細は後述））が格納されている。
【００４５】
図１２に、目標色相データメモリ３０３および許容色相データメモリ３０４の一例を示す。同図においては、説明の簡略化のため、目標色相データメモリ３０３および許容色相データメモリ３０４が合成された構成になっているが、もちろん、それぞれ分かれている構成であっても良い。
【００４６】
図１２におけるメモリ領域１２０１は、色属性情報Ｒｅｄにおける、ＨＶＣ色空間の色相情報のデータ形式による目標色相、および許容域色相Ａ、ならびに他方の許容域色相Ｂがそれぞれ格納されている。同様に、メモリ領域１２０２、１２０３、１２０４、１２０５、１２０６には、それぞれ、色属性情報Ｇｒｅｅｎ、Ｂｌｕｅ、Ｃｙａｎ、Ｍａｇｅｎｔａ、ＹｅｌｌｏｗについてのＨＶＣ色空間の色相情報のデータ形式による目標色相、および許容域色相Ａならびに他方の許容域色相Ｂがそれぞれ格納されている。
【００４７】
なお、本実施形態における色再現性評価装置２０２は、ユーザが設定する任意の色属性情報に関する色再現性評価を行うことが出来るような構成となっている。つまり、色属性情報と、該色属性情報におけるＨＶＣ色空間の色相情報のデータ形式による目標色相と、許容域色相Ａならびに他方の許容域色相Ｂとを、あらかじめユーザが任意に登録することが可能であり、登録された内容はメモリ領域１２０７、１２０８にそれぞれ格納される。
【００４８】
再び図３に戻る。評価対象色データ変換部３０５では、評価対象色データ格納部３０１より評価対象色のＬａｂ色空間座標値を読み出し、目標色座標と許容域を求めるための値（明度情報、彩度情報）と、色再現性評価において用いる値（色相角）とを算出し、その結果を、Ｌａｂ色空間座標値とともに評価対象色・目標・許容座標データメモリ３０７に格納する。
【００４９】
目標・許容座標設定部３０６においては、評価対象色・目標・許容座標データメモリ３０７に格納された明度情報および彩度情報と、目標色相データメモリ３０３もしくは許容色相データメモリ３０４より獲得された色相（目標色相、両許容域色相）とによって、Ｌａｂ色空間座標値としての目標色座標値もしくは許容域両座標値が設定される。
【００５０】
設定された目標色座標値もしくは許容域両座標値は、評価対象色・目標・許容座標データメモリ３０７に格納される。ここで、評価対象色・目標・許容座標データメモリ３０７に格納された目標色座標値および許容域両座標値は、図２における目標・許容域座標データメモリ２０４に格納される。
【００５１】
図１４に、評価対象色・目標・許容座標データメモリ３０７の一例を示す。評価対象色・目標・許容座標データメモリ領域１４０１には、評価対象色に対するＬａｂ色空間座標値ならびにＨＶＣ色空間の明度情報および彩度情報と、Ｌａｂ色空間座標値より算出される色相角値とがそれぞれ格納されている。
【００５２】
評価対象色・目標・許容座標データメモリ領域１４０２には、評価対象色ごとの目標色におけるＬａｂ色空間座標値と、Ｌａｂ色空間座標値より算出される色相角値とがそれぞれ格納されている。
【００５３】
評価対象色・目標・許容座標データメモリ領域１４０３には、評価対象色に対する一方の許容域（許容域Ａ）におけるＬａｂ色空間座標値と、許容域ＡにおけるＬａｂ色空間座標値より算出される色相角値とがそれぞれ格納されている。
【００５４】
評価対象色・目標・許容座標データメモリ領域１４０４には、評価対象色に対する他方の許容域（許容域Ｂ）におけるＬａｂ色空間座標値と、許容域ＢにおけるＬａｂ色空間座標値より算出される色相角値とがそれぞれ格納されている。
【００５５】
再び図３に戻る。評価処理部３０８で、評価対象色・目標・許容座標データメモリ３０７に格納された目標色座標値及び許容域両座標値に基づいて、評価対象色ごとに色再現性評価を行い、その評価結果を評価値格納メモリ３０９に格納する。ここで、評価値格納メモリ３０９に格納された評価値は、図２における評価結果格納装置２０３に格納される。
【００５６】
図１５に評価値格納メモリ３０９の一例を示す。同図において、評価値格納メモリ領域１５０１はインデックス１の評価対象色における色再現性評価結果を格納するメモリ領域である。同様に、評価値格納メモリ領域１５０２にはインデックス２の評価対象色における色再現性評価結果が、評価値格納メモリ領域１５０３にはインデックス３の評価対象色における色再現性評価結果がそれぞれ格納されており、評価対象色における色再現性評価結果はインデックスに対応付けられている。
【００５７】
色再現性評価結果には、評価対象色の色属性情報、許容域内外判定結果、評価値、及び評価対象色のＬａｂ色空間座標値と目標色座標値との距離ΔＥがそれぞれ格納されている。許容域内外判定処理、評価値算出処理については後述する。
【００５８】
（２）色再現性評価部における処理の流れ（概略）
本実施形態における色再現性評価装置２０２の動作を、図４に示されるフローチャートによって説明する。
【００５９】
ステップＳ４０１において、評価対象色データ記憶装置２０１より評価対象色における色属性情報およびＬａｂ色空間座標値を獲得する。
【００６０】
次にステップＳ４０２において、評価対象色の色属性情報より、ＨＶＣ色空間における色相値のデータ形式を持つ、色属性情報における目標色相を獲得する。
【００６１】
次にステップＳ４０３において、評価対象色の色属性情報より、ＨＶＣ色空間における色相値のデータ形式を持つ、色属性情報における許容域色相Ａを獲得する。
【００６２】
次にステップＳ４０４において、評価対象色の色属性情報より、ＨＶＣ色空間における色相値のデータ形式を持つ、色属性情報における許容域色相Ｂを獲得する。
【００６３】
次にステップＳ４０５において、評価対象色における明度情報と彩度情報、および目標色相より、Ｌａｂ色空間における目標色座標値を算出する。
【００６４】
次にステップＳ４０６において、評価対象色における明度情報、彩度情報、および許容域色相Ａ、許容域色相Ｂより、Ｌａｂ色空間における許容域両座標値（許容域Ａ座標、許容域Ｂ座標）を設定する。
【００６５】
次にステップＳ４０７において、目標色座標値、許容域両座標値、および評価対象色のＬａｂ色空間座標値より、それぞれの座標における色相角値（目標色相角、許容域両色相角、評価対象色相角）を算出する。
【００６６】
次にステップＳ４０８において、目標色相角、許容域両色相角、評価対象色相角より、評価対象色について許容域内外判定を行う。
【００６７】
次にステップＳ４０９において、目標色相角、許容域両色相角、評価対象色相角より、目標色相角と評価対象色が存在する側の許容域色相角の角度の差分に対する、目標色相角と評価対象色相角の角度の差分の比率を算出し、評価値とする。
【００６８】
次にステップＳ４１０では、許容域内外判定をした結果と、ステップＳ４０９において算出した評価値とを、評価対象色に対応付けて評価結果格納装置２０３に格納する。
【００６９】
次にステップＳ４１１において、格納された許容内外判定結果および評価値を、評価対象色に対応付けてモニタ１０６に表示する。
【００７０】
上記のフローチャートにおける処理によって、色再現性評価処理を実現する。
【００７１】
次に、図５から図９に示されるフローチャートに沿って、本実施形態の色再現性評価部における処理の流れについて詳細を以下に説明する。
【００７２】
（３）色再現性評価部における処理の流れ（詳細）
図５は、図３の評価対象色データ変換部３０５における処理であって、評価対象色データ格納部３０１に格納されている評価対象色の色属性情報より、色再現性評価において使用されるデータを設定する処理を示すフローチャートである。
【００７３】
ステップＳ５０１において、評価対象色データ格納部３０１より、評価対象色のＬａｂ色空間座標値（Ｌｐ，ａｐ，ｂｐ）を獲得する。
【００７４】
ステップＳ５０２では、評価対象色のＬａｂ色空間座標値（Ｌｐ，ａｐ，ｂｐ）より、ＨＶＣ色空間参照データメモリ３０２に格納されているＨＶＣ−Ｌａｂ変換情報に基づいて、明度情報Ｖｐをもとめ、評価対象色・目標・許容座標データメモリ３０７の評価対象色データメモリ領域１４０１に格納する。
【００７５】
ステップＳ５０３では、評価対象色のＬａｂ色空間座標値（Ｌｐ，ａｐ，ｂｐ）より、ＨＶＣ色空間参照データメモリ３０２に格納されているＨＶＣ−Ｌａｂ変換情報に基づいて、彩度情報Ｃｐをもとめ、評価対象色・目標・許容座標データメモリ３０７の評価対象色データメモリ領域１４０１に格納する。
【００７６】
ステップＳ５０４において、評価対象色のＬａｂ色空間座標値（Ｌｐ，ａｐ，ｂｐ）より、Ｌａｂ色空間における色相角値ｈｐを求める。Ｌａｂ色空間における色相角値ｈは、Ｌａｂ色空間座標値（Ｌ，ａ，ｂ）より以下の式（１）によって求められる。
ｈ＝ｔａｎ−１（ａ／ｂ）　・・・式（１）
ステップＳ５０５において、評価対象色・目標・許容座標データメモリ３０７の評価対象色データメモリ領域１４０１に色相角値ｈｐを格納する。
【００７７】
以上のフローチャートによる処理によって、人間の視覚特性に応じた色再現性評価を行うための評価対象色における情報が求められる。
【００７８】
（４）目標・許容座標設定部の説明
▲１▼目標色座標設定処理
図６は、図３の目標・許容座標設定部３０６における、色再現性評価における目標色座標を設定する処理を示すフローチャートである。
【００７９】
ステップＳ６０１において、評価対象色・目標・許容座標データメモリ３０７の評価対象色データメモリ領域１４０１に格納されている評価対象色の明度情報Ｖｐを獲得する。
【００８０】
ステップＳ６０２において、評価対象色・目標・許容座標データメモリ３０７の評価対象色データメモリ領域１４０１に格納されている評価対象色の彩度情報Ｃｐを獲得する。
【００８１】
ステップＳ６０３では、評価対象色の色属性情報に基づいて、目標色相データメモリ３０５を参照して、ＨＶＣ色空間の色相情報のデータ形式で、評価対象色の色属性情報に対する目標色相を獲得する。
【００８２】
ステップＳ６０４では、明度情報Ｖｐ、彩度情報Ｃｐ、目標色相より、ＨＶＣ色空間参照データメモリ３０２に格納されているＨＶＣ−Ｌａｂ変換情報に基づいて、目標色のＬａｂ色空間座標（Ｌｔ，ａｔ，ｂｔ）を求め、評価対象色の目標色座標値として設定する。
【００８３】
ステップＳ６０５において、評価対象色の目標色座標値（Ｌｔ，ａｔ，ｂｔ）より、評価対象色における色相角ｈｔを式（１）によって求める。
【００８４】
ステップＳ６０６において、評価対象色の目標色座標値（Ｌｔ，ａｔ，ｂｔ）および色相角ｈｔを、評価対象色・目標・許容座標データメモリ３０７の評価対象色データメモリ領域１４０２に格納する。
【００８５】
以上のフローチャートによる処理によって、人間の視覚特性に応じた評価対象色の目標色座標に関する情報が求められる。
【００８６】
▲２▼許容域座標設定処理
図７は、図３の目標・許容座標設定部３０６における、色再現性評価における許容域座標を設定する処理を示すフローチャートである。
【００８７】
ステップＳ７０１において、評価対象色・目標・許容座標データメモリ３０７の評価対象色データメモリ領域１４０１に格納されている評価対象色の明度情報Ｖｐを獲得する。
【００８８】
ステップＳ７０２において、評価対象色・目標・許容座標データメモリ３０７の評価対象色データメモリ領域１４０１に格納されている評価対象色の彩度情報Ｃｐを獲得する。
【００８９】
ステップＳ７０３では、評価対象色の色属性情報に基づいて、許容色相データメモリ３０４を参照して、ＨＶＣ色空間の色相情報のデータ形式で、評価対象色の色属性情報に対する許容域の一方である許容域色相Ａを獲得する。
【００９０】
ステップＳ７０４では、明度情報Ｖｐ、彩度情報Ｃｐ、許容域色相Ａより、ＨＶＣ色空間参照データメモリ３０２に格納されているＨＶＣ−Ｌａｂ変換情報に基づいて、許容域色相ＡにおけるＬａｂ色空間座標値（Ｌｔ１，ａｔ１，ｂｔ１）を求め、許容域Ａ座標として設定する。
【００９１】
ステップＳ７０５において、許容域Ａ座標値（Ｌｔ１，ａｔ１，ｂｔ１）より、許容域Ａ座標値における色相角ｈｔを式（１）によって求める。
【００９２】
ステップＳ７０６では、評価対象色の色属性情報に基づいて、許容色相データメモリ３０４を参照して、ＨＶＣ色空間の色相情報のデータ形式で、評価対象色の色属性情報に対する許容域のもう一方である許容域色相Ｂを獲得する。
【００９３】
ステップＳ７０７では、明度情報Ｖｐ、彩度情報Ｃｐ、許容域色相Ｂより、ＨＶＣ色空間参照データメモリ３０２に格納されているＨＶＣ−Ｌａｂ変換情報に基づいて、許容域色相ＢにおけるＬａｂ色空間座標値（Ｌｔ２，ａｔ２，ｂｔ２）を求め、許容域Ｂ座標として設定する。
【００９４】
ステップＳ７０８において、許容域Ｂ座標値（Ｌｔ２，ａｔ２，ｂｔ２）より、許容域Ｂ座標値における色相角ｈｔを式（１）によって求める。
【００９５】
ステップＳ７０９において、許容域色相ＡにおけるＬａｂ色空間座標（Ｌｔ１，ａｔ１，ｂｔ１）および色相角ｈｔ、許容域色相ＢにおけるＬａｂ色空間座標（Ｌｔ２，ａｔ２，ｂｔ２）および色相角ｈｔを、評価対象色・目標・許容座標データメモリ３０７の評価対象色データメモリ領域１４０３、１４０４にそれぞれ格納する。
【００９６】
以上のフローチャートによる処理によって、人間の視覚特性に応じた許容域情報が求められた。
【００９７】
（５）評価処理部の説明
▲１▼許容域内外判定処理・評価処理
図８は、図３の評価処理部３０８における処理を示すフローチャートであって、色再現性評価における評価対象色について許容域内外判定をおこなう処理を示すフローチャートである。
【００９８】
ステップＳ８０１において、評価対象色・目標・許容座標データメモリ３０７より、評価対象色における色相角ｈｐを獲得する。
【００９９】
ステップＳ８０２において、評価対象色・目標・許容座標データメモリ３０７より、目標色における色相角ｈｔを獲得する。
【０１００】
ステップＳ８０５において、評価対象色・目標・許容座標データメモリ３０７より、一方の許容域Ａ座標における色相角ｈｔ１を獲得する。
【０１０１】
ステップＳ８０４において、評価対象色・目標・許容座標データメモリ３０７より、他方の許容域Ｂ座標における色相角ｈｔ２を獲得する。
【０１０２】
ステップＳ８０５では、色相角ｈｐについて、目標色座標における色相角ｈｔおよび許容域Ａ座標における色相角ｈｔ１と比較するか、もしくは、目標色座標における色相角ｈｔおよび許容域Ｂ座標における色相角ｈｔ２と比較し、評価対象色における色相角ｈｐが挟まれる許容域色相角を判別することによって、評価対象色が許容域Ａ座標もしくは許容域Ｂ座標のどちらに存在するかを判別する。
【０１０３】
ステップＳ８０５において、評価対象色が許容域Ａ座標内に存在した場合は、ステップＳ８０６において、目標色座標および許容域Ａ座標を用いて、評価対象色の評価を行う。
【０１０４】
ステップＳ８０５において、評価対象色が許容域Ｂ座標内に存在した場合は、ステップＳ８０７において、目標色座標および許容域Ｂ座標を用いて、評価対象色の評価を行う。
【０１０５】
ここで、ステップＳ８０６とステップＳ８０７における処理の詳細な説明は、図９におけるフローチャートにて後述する。
【０１０６】
ステップＳ８０８では、ステップＳ８０６もしくはステップＳ８０７における、選択された許容域を用いた許容域内外判定結果と算出された評価対象色の目標色座標に対する評価値とを、評価値格納メモリ３０９に格納する。
【０１０７】
ステップＳ８０９において、評価値格納メモリ３０９に格納された各評価対象色における許容域内外判定結果と、目標色に対する評価対象色の評価値を、モニタ１０６に表示する。
【０１０８】
以上のフローチャートによる処理によって、人間の視覚特性に応じた許容域情報に基づく許容内外判定結果が求められた。
【０１０９】
▲２▼評価値算出処理
図８のステップＳ８０６及びステップＳ８０７の処理の詳細を図９に示す。本図は、図３の評価処理部３０８での、評価対象色についての許容内外域判定および目標色に対する評価値を求める処理を示すフローチャートである。
【０１１０】
また、図８のステップＳ８０５おいて選択された許容域と、評価対象色および目標色の関係を図１１に示す。図１１において、黒丸１１０１は目標色座標を示し、色相角ｈｔをもつ。白丸１１０３は選択された許容域座標を示し、色相角ｈｔ１をもつ。四角１１０２は評価対象色を示し、色相角ｈｐをもつ。また、１１０４は目標色と許容域座標の色相角の差分、１１０５は目標色と評価対象色の色相角の差分をそれぞれ示す。
【０１１１】
以下、図１１を参照しながら図９に示すフローチャートについて説明する。ステップＳ９０１において、評価対象色相角ｈｐを獲得し、Ｐｈに代入する。次にステップＳ９０２において、目標色相角ｈｔを獲得し、ＴＧｈに代入する。
【０１１２】
次にステップＳ９０３において、選択された許容域座標の色相角ｈｔ１を獲得し、Ｔｈに代入する（ここでは、図８のステップＳ８０５において、許容域Ａが選択されたものとする）。
【０１１３】
ステップＳ９０４において、評価対象色について目標色に対する評価値Ｖを、以下の式（２）によって定義し、算出する。
評価値　Ｖ＝　｜（Ｐｈ−ＴＧｈ）｜／｜（Ｔｈ−ＴＧｈ）｜　・・・式（２）
評価値Ｖは、図１１における、目標色と評価対象色の色相角の差分１１０５における目標色と許容域座標の色相角の差分１１０４に対する比率を表す。
【０１１４】
この比率は、目標色に対して同じ色味であると認められる度合いである。すなわち評価対象色がどの程度、目標色の色らしく見えるかについてを示すことになる。
【０１１５】
評価値が０に近づくほど目標の色らしく、１に近づくほどその色として認められる程度が小さくなる。更に、１を越えるほど、目標の色としては認められないと評価することになる。
【０１１６】
ステップＳ９０５においては、ステップＳ９０４において求めた評価値Ｖについて、１を越えているか否かを判別し、評価値Ｖが１以下あれば、ステップＳ１１０６において許容域内であると判定し、評価値Ｖが１より大きければ、ステップＳ９０７において、許容域外であると判定する。
【０１１７】
以上のフローチャートによる処理によって、人間の視覚特性に応じた許容域情報に基づく評価値が求められた。
【０１１８】
以上、図５から図９のフローチャートによって示される色再現性評価処理によって、人間の視覚特性を鑑みた色味についての評価を行うことが可能となり、明度、彩度の異なる色についての色味の評価について見た目の違いを反映した評価を行い、評価値を獲得することを実現した。
【０１１９】
本実施形態によって、ある色について色補正を行うための色再現性評価を行うにあたり、評価対象色のもつ色属性情報における目標色相および許容域色相をあらかじめ定義し、それぞれ、評価対象色の持つ明度および彩度に基づいて、人間の視覚において当該目標色相および許容域色相と同じ色味をもつ色の変化として表される目標色等色相線および許容域等色相線を均等表色系の色空間における値として求めておき、許容域等色相線によって挟まれる領域内外のどちらに存在するかを判別、また、どの程度目標色等色相線上の同じ彩度を持つ色に近いかを評価することによって、人間の視覚に基づいた色再現性評価処理を実現する。
【０１２０】
そして、色再現性評価処理において求められた人間の視覚に基づいた評価値を用いた色補正値を定義することによって、色補正処理における色補正値を実際の色味の感覚的な変化に関係付けることが出来る色補正処理を実現することが出来る。
【０１２１】
【第２の実施形態】
本実施形態では、色再現性評価を行う出力デバイスの色再現範囲の外郭上における色度点を評価対象色とする場合に、色再現性評価装置において、プリンタ色再現域情報に基づき、色度点の明度をもつ目標色等色相線と、近傍領域のプリンタ色再現域外郭との交点を求め、獲得した交点を目標色座標値として決定する。また、色度点の明度をもつ許容域等色相線と、近傍領域のプリンタ色再現域外郭との交点を求め、それらを許容域座標として決定することによって、許容域内外判別を施す場合における、プリンタ色再現域を踏まえた判別を実現する。
【０１２２】
図１６を用いて本実施形態の説明をする。図１６において、評価対象色１６０７に対して、１６０１は目標色等色相線、１６０２および１６０５はそれぞれ許容域等色相線を表す。ここで第１の実施形態の処理に基づいて目標色座標値１６０４及び許容域両座標値１６０９、１６１０がそれぞれ求められたものとしたときに、出力デバイスの再現可能な色域が１６０８によって示される点線であった場合、許容域両座標値１６０９、及び１６１０はプリンタ色再現域の外側に存在していることとなる。
【０１２３】
つまり、色再現範囲内の十分に内側にある点においては、第１の実施形態における手法のみでも良いが、外郭近傍の点である場合は、目標色座標値や許容域両座標値の一方もしくは両方が、プリンタ色再現域の外側に存在する場合が考えられるので、この場合においては、プリンタ色再現域１６０８に対する許容域等色相線１６０２との交点座標１６０９および許容域等色相線１６０５との交点座標１６０６をそれぞれ求め、プリンタ色再現域内における座標値を用いて色再現性評価を行う。
【０１２４】
また、色補正値決定においても、目標色等色相線と、近傍領域のプリンタ色再現域外郭との交点を求め、獲得した交点を評価対象色の目標色座標値とし、許容域等色相線と、近傍領域のプリンタ色再現域外郭との交点を求め、それを色補正可能範囲とすることで、色補正値においてもプリンタ色再現域を踏まえた色補正値を決定することが可能となる。
【０１２５】
なお、評価対象色に対する評価値を求め、また色補正値を決定するにあたり、本実施形態による手法と上記第１の実施形態における手法とを切り替えることができるようにしても良い。
１．機能構成
（１）画像処理装置の構成１（色再現性評価部）
図１７を用いて、本実施形態にかかる画像処理部１０５について説明する。本実施形態にかかる画像処理部１０５は、色再現性評価機能を有し、以下の構成を備える。
【０１２６】
１７０１は、評価対象色データ記憶装置であり、端子１７０６を通じて入力された、評価対象となる色を測色した均等表色系のＬａｂ色空間座標値を格納する。評価対象色データ記憶装置１７０１へは、入力デバイスＩ／Ｆ１０７を介して測色器から均等表色系のＬａｂ色空間座標値が格納されても良いし、操作部１０４を介して色座標値が直接入力されても良い。また、評価対象色データ記憶装置１７０１には、評価対象色の色の属性を示す色属性情報（例えば、Ｒｅｄ、Ｇｒｅｅｎ、Ｂｌｕｅ・・等）が、評価対象色のＬａｂ色空間座標値に関連付けられて格納される。
【０１２７】
１７０２は、評価対象色について色再現性評価を行う色再現性評価装置である。色再現性評価装置１７０２において、評価対象色における目標色および許容域のＬａｂ色空間座標値が算出され、目標・許容域座標データメモリ１７０４に格納される。再現性評価装置１７０２において評価された結果及び評価値は、評価結果格納装置１７０３において、評価対象色のＬａｂ色空間座標値に対応付けられて格納される。目標・許容域座標データメモリ１７０４に格納された目標色および許容域のＬａｂ色空間座標値、および評価結果格納装置１７０３に格納された評価値は、表示装置画面生成装置１７０５において生成された表示画面に組み込まれ、端子１７０７を介して送信され、モニタ１０６上に表示される。
２．色再現性評価部の説明
（１）色再現性評価部の詳細構成
図１８は、色再現性評価装置１７０２における構成を示すブロックである。１８０１は、評価対象色データ記憶装置１７０１より読み出した、評価対象となる色の色属性情報およびＬａｂ色空間座標値を格納する評価対象色データ格納部である。
【０１２８】
ＨＶＣ色空間参照データメモリ１８０２にはＨＶＣ−Ｌａｂ変換情報が格納されており、適宜他の処理部におけるＨＶＣ−Ｌａｂ座標値の変換において用いられる。
【０１２９】
目標色相データメモリ１８０３においては、ＨＶＣ色空間の色相情報のデータ形式で、評価対象色の色属性情報に対する目標色相が格納されている。
【０１３０】
許容色相データメモリ１８０４においては、ＨＶＣ色空間の色相情報のデータ形式で、評価対象色の色属性情報に対する、両許容域色相（許容域色相Ａおよび許容域色相Ｂ）が格納されている。
【０１３１】
評価対象色データ変換部１８０５では、評価対象色データ格納部１８０１より評価対象色のＬａｂ色空間座標値を読み出し、目標色座標値と許容域を求めるための値（明度情報、彩度情報）と、色再現性評価において用いる値（色相角）とを算出し、その結果を、Ｌａｂ色空間座標値とともに評価対象色・目標・許容座標データメモリ１８０７に格納する。
【０１３２】
目標・許容座標設定部１８０６においては、評価対象色・目標・許容座標データメモリ１８０７に格納された明度情報と、目標色相データメモリ１８０５もしくは許容色相データメモリ１８０４より獲得された色相（目標色相、両許容域色相）とによって、Ｌａｂ色空間座標値としての目標色等色相線情報もしくは許容域等色相線情報が設定される。
【０１３３】
設定された目標色等色相線情報もしくは許容域等色相線情報は、目標・許容域等色相線データメモリ１８１１に格納される。
【０１３４】
出力デバイス色域データ格納部１８０９には、プリンタ色域記憶装置１７０８より読み込まれた、Ｌａｂ色空間座標値であるプリンタ色再現域情報が格納してある。
【０１３５】
出力デバイス色域データ格納部１８０９に格納されたプリンタ色再現域情報より、出力デバイス色域外郭算出部１８１０において、プリンタ色再現域の外郭に関するＬａｂ色空間座標値（外郭座標情報）が算出される。
【０１３６】
等色相線算出部１８１２においては、評価対象色の明度情報と目標色相もしくは許容域色相より、Ｌａｂ色空間上の評価対象色の明度における目標色相もしくは許容域色相の等色相線の色座標値（等色相線情報）を算出し、目標・許容域等色相線データメモリ１８１１に格納する。
【０１３７】
交点算出部１８１４においては、目標・許容域等色相線データメモリ１８１１に格納されている目標色等色相線情報もしくは許容域等色相線情報と、プリンタ色再現域の外郭に関するＬａｂ色空間座標情報（外郭座標情報）によって、目標色等色相線とプリンタ色再現域外郭との交点座標、両許容域等色相線とプリンタ色再現域外郭との交点座標が算出される。算出された交点座標情報は、評価対象色・目標・許容座標データメモリ１８０７に格納され、それぞれ目標色座標値および許容域両座標値として設定される。
【０１３８】
評価処理部１８０８では、評価対象色・目標・許容座標データメモリ１８０７に格納された目標色座標値及び許容域両座標値に基づいて、評価対象色ごとに色再現性評価を行い、その評価結果を評価値格納メモリ１８１３に格納する。
【０１３９】
色再現性評価結果には、評価対象色の色属性情報、許容域内外判定結果、評価値、及び目標色のＬａｂ色空間座標と評価対象色のＬａｂ色空間座標との距離ΔＥがそれぞれ格納されている。
【０１４０】
本実施形態における全体的な処理は、第１の実施形態における図３に示すフローチャートに示されるものと同様であるが、目標色、許容域のＬａｂ色空間における座標を設定する際の処理が異なるものである。
【０１４１】
よって、第１の実施形態に対して異なる処理に関する部分のみ以下に詳細に説明する。
【０１４２】
（２）目標・許容座標設定部の説明
▲１▼目標色座標設定処理
図１９に示すフローチャートは、目標・許容座標設定部１８０６における、色再現性評価における目標色を設定する処理を示すフローチャートである。
【０１４３】
ステップＳ１９０１において、プリンタ色域記憶装置１７０８に格納されているプリンタ色再現域情報を獲得、出力デバイス色域データ格納部１８０９に格納する。
【０１４４】
ステップＳ１９０２において、評価対象色・目標・許容座標データメモリ１８０７の評価対象色データメモリ領域１４０１に格納されている評価対象色の明度情報Ｖｐを獲得する。
【０１４５】
ステップＳ１９０３において、評価対象色・目標・許容座標データメモリ１８０７の評価対象色データメモリ領域１４０１に格納されている評価対象色の彩度情報Ｃｐを獲得する。
【０１４６】
ステップＳ１９０４において、評価対象色の色属性情報より、目標色相データメモリ１８０５を参照して、ＨＶＣ色空間の色相情報のデータ形式で、評価色の色属性情報に対する目標色相を獲得する。
【０１４７】
ステップＳ１９０５において、明度情報Ｖｐ、彩度情報Ｃｐ、目標色相より、ＨＶＣ色空間参照データメモリ１８０２に格納されているＨＶＣ−Ｌａｂ変換情報に基づいて、目標色のＬａｂ色空間座標（Ｌｔ，ａｔ，ｂｔ）を求める。
【０１４８】
ステップＳ１９０６において、ステップＳ１９０５によって求められた目標色のＬａｂ色空間座標（Ｌｔ，ａｔ，ｂｔ）に対して、出力デバイス色域データ格納部１８０９におけるプリンタ色再現域情報のＬａｂ色空間情報に対する内外判定を行う。
【０１４９】
ステップＳ１９０６において、目標色のＬａｂ色空間座標（Ｌｔ，ａｔ，ｂｔ）が、プリンタ色再現域内であった場合は、ステップＳ１９０８において、ステップＳ１９０５で求めた目標色のＬａｂ色空間座標（Ｌｔ，ａｔ，ｂｔ）を評価対象色の目標色座標値として設定する。
【０１５０】
ステップＳ１９０７において、目標色のＬａｂ色空間座標（Ｌｔ，ａｔ，ｂｔ）がプリンタ色再現域外であった場合は、ステップＳ１９０９において、出力デバイス色域データ格納部１８０９におけるプリンタ色再現域のＬａｂ色空間情報より、評価対象色の明度情報Ｖｐにおける外郭座標情報を出力デバイス色域外郭算出部１８１０において求め、また、等色相線算出部１８１２において算出された、評価対象色の明度情報Ｖｐにおける目標色相の等色相線情報を格納した目標・許容域等色相線データメモリ１８１１より、評価対象色の明度情報Ｖｐにおける目標色相における等色相線情報を獲得し、外郭座標情報との交点を交点算出部１８１４において算出し、この交点座標を目標色座標値として設定する。
【０１５１】
ステップＳ１９１０において、評価対象色の目標色座標値より、評価対象色の目標色における色相角ｈｔを式（１）によって求める。
【０１５２】
ステップＳ１９１１において、評価対象色の目標色のＬａｂ色空間座標および色相角ｈｔを、評価対象色・目標・許容座標データメモリ１８０７に格納する。
【０１５３】
以上のフローチャートによる処理によって、人間の視覚特性に応ずると同時にプリンタ色再現域を考慮した評価対象色の目標色に関する情報が求められた。
【０１５４】
▲２▼許容域座標設定処理
図２０は、目標・許容座標設定部１８０６における、色再現性評価における許容域データを設定する処理を示すフローチャートである。
【０１５５】
なお、許容域に関しては目標色座標点をはさみ２座標を求めるが、本フローチャートでは、２点を求める処理は同じであるため、許容域色座標１点を求める処理について説明する。
【０１５６】
ステップＳ２００１において、プリンタ色域記憶装置１７０８に格納されているプリンタ色再現域情報を獲得する。
【０１５７】
ステップＳ２００２において、評価対象色・目標・許容座標データメモリ１８０７に格納されている評価対象色の明度情報Ｖｐを獲得する。
【０１５８】
ステップＳ２００５において、評価対象色・目標・許容座標データメモリ１８０７に格納されている評価対象色の彩度情報Ｃｐを獲得する。
【０１５９】
ステップＳ２００４において、評価対象色の色属性情報より、許容色相データメモリ１８０４を参照して、ＨＶＣ色空間の色相情報のデータ形式で、評価対象色の色属性情報に対する許容域色相を獲得する。
【０１６０】
ステップＳ２００５において、明度情報Ｖｐ、彩度情報Ｃｐ、許容域における色相値より、ＨＶＣ色空間参照データメモリ１８０２に格納されているＨＶＣ−Ｌａｂ変換情報に基づいて、許容域におけるＬａｂ色空間座標値を求め、許容域座標として設定する。
【０１６１】
ステップＳ２００６において、ステップＳ２００５によって求められた許容域のＬａｂ色空間座標に対して、出力デバイス色域データ格納部１８０９におけるプリンタ色再現域情報のＬａｂ色空間情報に対する内外判定を行う。
【０１６２】
ステップＳ２００７において、許容域のＬａｂ色空間座標が、プリンタ色再現域内であった場合は、ステップＳ２００８において、ステップＳ２００５で求めた許容域のＬａｂ色空間座標を許容域座標として設定する。
【０１６３】
ステップＳ２００７において、許容域のＬａｂ色空間座標が、プリンタ色再現域外であった場合は、ステップＳ２００９において、出力デバイス色域データ格納部１８０９におけるプリンタ色再現域のＬａｂ色空間情報より、評価対象色の明度情報Ｖｐにおける外郭座標情報を出力デバイス色域外郭算出部１８１０において求め、また、等色相線算出部１８１２において算出された、評価対象色の明度情報Ｖｐにおける許容域の等色相線情報を格納した目標・許容域等色相線データメモリ１８１１より、評価対象色の明度情報Ｖｐにおける許容域における等色相線情報を獲得し、外郭座標情報との交点を交点算出部１８１４において算出し、この交点座標を許容域色座標として設定する。
【０１６４】
ステップＳ２０１０において、許容域色座標値より、許容域色座標値における色相角を式（１）によって求める。
【０１６５】
ステップＳ２０１１において、許容域におけるＬａｂ色空間座標値および色相角、評価対象色・目標・許容座標データメモリ１８０７に格納する。
【０１６６】
以上のフローチャートによる処理によって、人間の視覚特性に応ずると同時にプリンタ色再現域を考慮した許容域情報が求められた。
【０１６７】
▲３▼プリンタ色再現域外の場合の目標色座標設定処理
図２１におけるフローチャートによって、図１９におけるステップＳ１９０９において、および図２０におけるステップＳ２００９において算出したＬａｂ色空間座標がプリンタ色再現域外であったときの処理を詳細に説明する。
【０１６８】
ステップＳ２１０１において、プリンタ色域記憶装置１７０８に格納されているプリンタ色再現域情報を獲得する。
【０１６９】
ステップＳ２１０２において、評価対象色の色属性情報より、目標色相データメモリ１８０５もしくは許容色相データメモリ１８０４を参照して、ＨＶＣ色空間の色相情報のデータ形式で、評価対象色の色属性情報に対する目標色相もしくは許容域色相を獲得する。
【０１７０】
ステップＳ２１０５において、評価対象色・目標・許容座標データメモリ１８０７の評価対象色データメモリ領域１４０１に格納されている評価対象色の明度情報Ｖｐを獲得する。
【０１７１】
ステップＳ２１０４において、等色相線算出部１８１２において、ＨＶＣ色空間における評価対象色の明度情報Ｖｐにおける目標色相もしくは許容域色相をもち、彩度が０からプリンタ色再現域のもつ最大彩度までを満足するＬａｂ色空間における等色相線の色座標値を算出し、目標・許容域等色相線データメモリ１８１１に格納する。
【０１７２】
等色相線の色座標値は連続する線についての情報であってもよいし、離散的に連続する座標点の場合には、等色相線として必要な彩度における座標値を補間することによって求めるような構成であっても良い。
【０１７３】
図２２に、後者の例における算出した等色相線情報を格納する目標・許容域等色相線データメモリ１８１１の一例を示す。データメモリ２２０１は、等色相線設定対象明度であるＬ＊＝Ｌ１（Ｖｐ）における等色相線をあらわす離散的なＬａｂ座標データの集合となっている。
【０１７４】
２２０２−２２０８における左端におけるインデックスは等色相線を求める際に、等色相線に対して彩度の低い順に番号をふったものであり、対応する等色相線上のａｂ座標点がそれぞれ格納される。
【０１７５】
ステップＳ２１０５において、出力デバイス色域データ格納部１８０９におけるプリンタ色再現域のＬａｂ色空間座標値より、評価対象色の明度情報Ｖｐにおける外郭座標情報を出力デバイス色域外郭算出部１８１０において求め、また、目標・許容域等色相線データメモリ１８１１に格納されている評価対象色の明度情報Ｖｐにおける等色相線情報と、外郭座標情報との交点座標を交点算出部１８１４において算出する。
【０１７６】
ステップＳ２１０６において、求めた交点座標を目標色座標もしくは許容域色座標として設定する。
【０１７７】
なお、本実施形態においては、評価対象色がプリンタ色再現域の外郭上に存在する最大彩度の点であるかどうかをあらかじめ判別し、最大彩度点であった場合は、常に、評価目標値及び許容域をプリンタ色再現域の外郭上の点として設定し、色再現性評価を行うものであっても良い。
【０１７８】
以上の説明から明らかなように、本実施形態にかかる画像処理装置では、上記手法によって求められた許容域色座標および目標色座標を、それぞれ色補正可能領域および推奨目標値として表示することができ、ユーザは当該表示を見ながら色補正値を決定することができるため、プリンタ色再現域を考慮した色補正値を決定することが出来る。
【０１７９】
また、色再現性評価を行うにあたっては、人間の視覚において同じ色味をもつ色の変化を表す目標色等色相線および許容域等色相線を求めておき、当該許容域等色相線によって挟まれる領域内にあるか否かによって評価をしたり、目標色等色相線上の同じ彩度を持つ色との距離によって評価したりすることで、人間の視覚に基づいた色再現性評価処理を実現する。
【０１８０】
そして、人間の視覚に基づいた評価値を用いた色補正値を定義することによって、色補正値を実際の色味の感覚的な変化に関係付けることができるとともに、出力デバイスの再現可能な色域を考慮した色補正処理を実現することが出来る。
【０１８１】
【他の実施形態】
＜記憶媒体＞
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用しても良い。
【０１８２】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵまたはＭＰＵ）が記憶媒体に格納されたプログラムコードを読み出し実行することによっても達成されることは言うまでもない。
【０１８３】
この場合、記憶媒体から読み出されたプログラムコード自体が前述した実施形態の機能を実現することになり、そのプログラムコードを記憶した記憶媒体は本発明を構成することになる。
【０１８４】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることが出来る。
【０１８５】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行い、その処理によって前述した実施形態の機能が実現される場合も含まれることは言うまでもない。
【０１８６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０１８７】
【発明の効果】
以上説明したように本発明によれば、入力カラー画像信号から出力カラー画像信号へ色変換する場合の色補正において、人間の視覚特性に適合した色再現性評価が可能となる。
【図面の簡単な説明】
【図１】本発明の実施形態で共通に用いられる画像処理装置の概略構成を示すブロック図である。
【図２】本発明の第１の実施形態にかかる画像処理装置の構成を示すブロック図である。
【図３】本発明の第１の実施形態にかかる画像処理装置の構成を示すブロック図の詳細を示す図である。
【図４】本発明の第１の実施形態にかかる画像処理装置における処理の流れを示すフローチャートである。
【図５】本発明の第１の実施形態にかかる画像処理装置における処理の流れを示すフローチャートである。
【図６】本発明の第１の実施形態にかかる画像処理装置における処理の流れを示すフローチャートである。
【図７】本発明の第１の実施形態にかかる画像処理装置における処理の流れを示すフローチャートである。
【図８】本発明の第１の実施形態にかかる画像処理装置における処理の流れを示すフローチャートである。
【図９】本発明の第１の実施形態にかかる画像処理装置における処理の流れを示すフローチャートである。
【図１０】色再現評価における目標色および許容域の関係を示す図である。
【図１１】本発明の第１の実施形態にかかる画像処理装置において、色再現評価の評価値を求める概念図である。
【図１２】本発明の第１の実施形態にかかる画像処理装置における目標色相データメモリおよび許容色相データメモリの一例を示す図である。
【図１３】本発明の第１の実施形態にかかる画像処理装置における評価対象色データ格納部の構成の一例を示す図である。
【図１４】本発明の第１の実施形態にかかる画像処理装置における評価対象色・目標・許容座標データメモリの構成の一例を示す図である。
【図１５】本発明の第１の実施形態にかかる画像処理装置における評価値格納メモリの構成の一例を示す図である。
【図１６】色再現性評価における目標および許容域の関係を示す図である。
【図１７】本発明の第２の実施形態にかかる画像処理装置の構成を示すブロック図である。
【図１８】本発明の第２の実施形態にかかる画像処理装置の構成を示すブロック図の詳細を示す図である。
【図１９】本発明の第２の実施形態にかかる画像処理装置における処理の流れを示すフローチャートである。
【図２０】本発明の第２の実施形態にかかる画像処理装置における処理の流れを示すフローチャートである。
【図２１】本発明の第２の実施形態にかかる画像処理装置における処理の流れを示すフローチャートである。
【図２２】本発明の第２の実施形態にかかる画像処理装置における目標・許容域等色相線データメモリの構成の一例を示す図である。
【図２３】本発明の概略を説明するための図である。
【符号の説明】
１０１…　ＣＰＵ
１０２…　ＲＯＭ
１０３…　ＲＡＭ
１０４…　操作部
１０５…　画像処理部
１０６…　モニタ
１０７…　入力デバイスＩ／Ｆ
１０８…　出力デバイスＩ／Ｆ
２０１…　評価対象色データ記憶装置
２０２…　色再現性評価装置
２０３…　評価結果格納装置
２０４…　目標・許容域座標データメモリ
２０５…　表示画面生成装置
２０６…　端子
２０７…　端子
３０１…　評価対象色データ格納部
３０２…　ＨＶＣ色空間参照データメモリ
３０３…　目標色相データメモリ
３０４…　許容色相データメモリ
３０５…　評価対象色データ変換部
３０６…　目標・許容座標設定部
３０７…　評価対象色・目標・許容座標データメモリ
３０８…　評価処理部
３０９…　評価値格納メモリ
１００１…　目標色等色相線
１００２…　許容域等色相線
１００３…　許容域等色相線
１００４…　赤色
１００５…　赤色
１００６…　赤色
１００７…　評価対象色
１００８…　目標等色相角線
１００９…　許容等色相角線
１０１０…　許容等色相角線
１１０１…　目標色座標点
１１０２…　評価対象色座標点
１１０３…　許容域色座標点
１１０４…　色相角
１１０５…　色相角
１２０１…　Ｒｅｄ目標色相・許容域色相格納メモリ
１２０２…　Ｇｒｅｅｎ目標色相・許容域色相格納メモリ
１２０３…　Ｂｌｕｅ目標色相・許容域色相格納メモリ
１２０４…　Ｃｙａｎ目標色相・許容域色相格納メモリ
１２０５…　Ｍａｇｅｎｔａ目標色相・許容域色相格納メモリ
１２０６…　Ｙｅｌｌｏｗ目標色相・許容域色相格納メモリ
１２０７…　ユーザ設定色目標色相・許容域色相格納メモリ
１２０８…　ユーザ設定色目標色相・許容域色相格納メモリ
１３０１…　評価対象色データ格納領域
１３０２…　評価対象色データ格納領域
１３０３…　評価対象色データ格納領域
１４０１…　評価対象色・目標・許容座標データメモリ領域
１４０２…　評価対象色・目標・許容座標データメモリ領域
１４０３…　評価対象色・目標・許容座標データメモリ領域
１４０４…　評価対象色・目標・許容座標データメモリ領域
１５０１…　評価値格納メモリ領域
１５０２…　評価値格納メモリ領域
１５０３…　評価値格納メモリ領域
１６０１…　目標色等色相線
１６０２…　許容域等色相線
１６０３…　許容域等色相線
１６０４…　目標色座標値
１６０５…　許容域色座標値
１６０６…　許容域色座標値
１６０７…　評価対象色
１６０８…　出力デバイス色域
１６０９…　許容域初期座標値
１６１０…　許容域初期座標値
１７０１…　評価対象色データ記憶装置
１７０２…　色再現性評価装置
１７０３…　評価結果格納装置
１７０４…　目標・許容域座標データメモリ
１７０５…　表示画面生成装置
１７０６…　端子
１７０７…　端子
１７０８…　プリンタ色域記憶装置
１７０９…　端子
１８０１…　評価対象色データ格納部
１８０２…　ＨＶＣ色空間参照データメモリ
１８０３…　目標色相データメモリ
１８０４…　許容色相データメモリ
１８０５…　評価対象色データ変換部
１８０６…　目標・許容座標設定部
１８０７…　評価対象色・目標・許容座標データメモリ
１８０８…　評価処理部
１８０９…　出力デバイス色域データ格納部
１８１０…　出力デバイス色域外郭算出部
１８１１…　目標・許容域等色相線データメモリ
１８１２…　等色相線算出部
１８１３…　評価値格納メモリ
１８１４…　交点算出部
２２０１…　Ｌ＊＝Ｌ１における等色相線データ格納メモリ
２２０２…　等色相線ａｂ座標格納メモリ
２２０３…　等色相線ａｂ座標格納メモリ
２２０４…　等色相線ａｂ座標格納メモリ
２２０５…　等色相線ａｂ座標格納メモリ
２２０６…　等色相線ａｂ座標格納メモリ
２２０７…　等色相線ａｂ座標格納メモリ
２２０８…　等色相線ａｂ座標格納メモリ
【図１】
2004072172.tif 000003
【図２】
2004072172.tif 000004
【図３】
2004072172.tif 000005
【図４】
2004072172.tif 000006
【図５】
2004072172.tif 000007
【図６】
2004072172.tif 000008
【図７】
2004072172.tif 000009
【図８】
2004072172.tif 000010
【図９】
2004072172.tif 000011
【図１０】
2004072172.tif 000012
【図１１】
2004072172.tif 000013
【図１２】
2004072172.tif 000014
【図１３】
2004072172.tif 000015
【図１４】
2004072172.tif 000016
【図１５】
2004072172.tif 000017
【図１６】
2004072172.tif 000018
【図１７】
2004072172.tif 000019
【図１８】
2004072172.tif 000020
【図１９】
2004072172.tif 000021
【図２０】
2004072172.tif 000022
【図２１】
2004072172.tif 000023
【図２２】
2004072172.tif 000024
【図２３】
2004072172.tif 000025